(57)【特許請求の範囲】
【請求項１】
蒸気タービンからの水蒸気を復水する復水器に冷却水を供給する第１の循環ポンプと第２の循環ポンプを備えた火力発電所における循環ポンプ運転方法であって、
前記蒸気タービンと連結される発電機から負荷に供給される電力の変化から負荷状態を測定する負荷状態測定工程と、
前記復水器に供給する冷却水を取水する取水口側の冷却水温度を測定する第１の冷却水温度測定工程と、
前記復水器を通過した冷却水を放水する放水口側の冷却水温度を測定する第２の冷却水温度測定工程と、
前記第１の冷却水温度測定工程によって測定された取水口側の冷却水温度と前記第２の冷却水温度測定工程によって測定された放水側の冷却水温度とにおける温度差を算出する温度差算出工程と、
前記復水器の真空度を測定する復水器真空度測定工程と、
前記負荷状態測定工程によって測定された電力の変化による負荷状態と、前記第１の冷却水測定工程によって測定された取水口側の冷却水温度と、前記第２の冷却水測定工程によって測定された放水口側の冷却水温度と、前記温度差算出工程によって算出された取水口側と放水口側とにおける冷却水の温度差と、前記復水器真空測定工程によって測定された復水器の真空度に基づき、前記負荷状態が所定状態であるか否かが判定されて、所定状態ではないと判定された場合は、前記第１の循環ポンプと前記第２の循環ポンプの２台運転が継続され、所定状態であると判定された場合は、前記取水口側の冷却水温度が所定温度以下であるか否かが判定されて、所定温度以下ではないと判定された場合は、前記第１の循環ポンプと前記第２の循環ポンプの２台運転が継続され、所定温度以下であると判定された場合は、前記冷却水の温度差が所定温度差以下であるか否かが判定されて、所定温度差以下ではないと判定された場合は、前記第１の循環ポンプと前記第２の循環ポンプの２台運転が継続され、所定温度差以下であると判定された場合は、前記復水器の真空度が所定値であるか否かが判定されて、所定値ではないと判定された場合は、前記第１の循環ポンプと前記第２の循環ポンプの２台運転が継続され、所定値であると判定された場合は、前記第１の循環ポンプと前記第２の循環ポンプのいずれか一方の運転を停止させる循環ポンプ運転判定工程と、
を備えた火力発電所における循環ポンプ運転方法。
【請求項２】
蒸気タービンからの水蒸気を復水する復水器に冷却水を供給する第１の循環ポンプと第２の循環ポンプを備えた火力発電所における循環ポンプ運転システムであって、
前記蒸気タービンと連結される発電機から負荷に供給される電力の変化から負荷状態を測定する負荷状態測定手段と、
前記復水器に供給する冷却水を取水する取水口側の冷却水温度を測定する第１の冷却水温度測定手段と、
前記復水器を通過した冷却水を放水する放水口側の冷却水温度を測定する第２の冷却水温度測定手段と、
前記第１の冷却水温度測定手段によって測定された取水口側の冷却水温度と前記第２の冷却水温度測定手段によって測定された放水側の冷却水温度とにおける温度差を算出する温度差算出手段と、
前記復水器の真空度を測定する復水器真空度測定手段と、
前記負荷状態測定手段によって測定された電力の変化による負荷状態と、前記第１の冷却水測定手段によって測定された取水口側の冷却水温度と、前記第２の冷却水測定手段によって測定された放水口側の冷却水温度と、前記温度差算出手段によって算出された取水口側と放水口側とにおける冷却水の温度差と、前記復水器真空測定手段によって測定された復水器の真空度に基づき、前記負荷状態が所定状態であるか否かが判定されて、所定状態ではないと判定された場合は、前記第１の循環ポンプと前記第２の循環ポンプの２台運転が継続され、所定状態であると判定された場合は、前記取水口側の冷却水温度が所定温度以下であるか否かが判定されて、所定温度以下ではないと判定された場合は、前記第１の循環ポンプと前記第２の循環ポンプの２台運転が継続され、所定温度以下であると判定された場合は、前記冷却水の温度差が所定温度差以下であるか否かが判定されて、所定温度差以下ではないと判定された場合は、前記第１の循環ポンプと前記第２の循環ポンプの２台運転が継続され、所定温度差以下であると判定された場合は、前記復水器の真空度が所定値であるか否かが判定されて、所定値ではないと判定された場合は、前記第１の循環ポンプと前記第２の循環ポンプの２台運転が継続され、所定値であると判定された場合は、前記第１の循環ポンプと前記第２の循環ポンプのいずれか一方の運転を停止させる循環ポンプ運転判定手段と、
を備えた火力発電所における循環ポンプ運転システム。
【発明の詳細な説明】
【技術分野】
【０００１】
この発明は、火力発電所における復水器に冷却水を供給する循環ポンプの運転方法および運転システムに関し、とくに循環ポンプの運転を複数の条件下で２台から１台に切り替えることが可能な循環ポンプ運転方法および運転システムに関する。
【背景技術】
【０００２】
火力発電所においては、蒸気タービンからの水蒸気を冷却し復水するための復水器が使用されている。復水器には、取水口から取水された海水が循環ポンプによって供給されている。復水器で水蒸気との間で熱交換された冷却水は、循環ポンプによって放水口から放水される。循環ポンプは、常時２台を同時運転することにより、復水器に十分な流量の冷却水を供給している。
【０００３】
従来から火力発電所における復水器に関する技術の一例として、下記の技術が知られている（例えば、特許文献１参照。）。特許文献１の技術は、復水器における取排水の温度差による発電機の出力制限の管理方法であり、人的ミスによる協定値の超過を防止し、協定値内で運転できる最大の発電出力を出すことを可能にしている。
【先行技術文献】
【特許文献】
【０００４】
【特許文献１】特開２０１０−２４８７１号公報
【発明の概要】
【発明が解決しようとする課題】
【０００５】
しかし、火力発電所においては、発電機の出力は負荷の状態によって変動することから、発電機によって電力が供給される負荷が低負荷状態となった場合は、ボイラから蒸気タービンに供給する水蒸気の流量も減少することになり、従来技術のように常時２台の循環ポンプを同時運転することは、エネルギーの浪費となるとともに、ＣＯ２の排出量の増加も招くという問題がある。すなわち、発電機から負荷に供給する電力が低下した場合は、復水器においては水蒸気と冷却水との間の熱交換量が減少するので、２台の循環ポンプのうち１台の循環ポンプのみによる冷却水の供給でも発電を継続して行うことができれば、省エネルギーが実現でき、ＣＯ２の排出量の低減にもなる。
【０００６】
そこで本発明は、火力発電所の復水器に冷却水を供給する循環ポンプの運転を複数の条件下で２台から１台に切り替えることが可能な循環ポンプ運転方法および運転システムを提供することを目的とする。
【課題を解決するための手段】
【０００７】
上記目的を達成するために請求項１に記載の発明は、蒸気タービンからの水蒸気を復水する復水器に冷却水を供給する第１の循環ポンプと第２の循環ポンプを備えた火力発電所における循環ポンプ運転方法であって、前記蒸気タービンと連結される発電機から負荷に供給される電力の変化から負荷状態を測定する負荷状態測定工程と、前記復水器に供給する冷却水を取水する取水口側の冷却水温度を測定する第１の冷却水温度測定工程と、前記復水器を通過した冷却水を放水する放水口側の冷却水温度を測定する第２の冷却水温度測定工程と、前記第１の冷却水温度測定工程によって測定された取水口側の冷却水温度と前記第２の冷却水温度測定工程によって測定された放水側の冷却水温度とにおける温度差を算出する温度差算出工程と、前記復水器の真空度を測定する復水器真空度測定工程と、前記負荷状態測定工程によって測定された電力の変化による負荷状態と、前記第１の冷却水測定工程によって測定された取水口側の冷却水温度と、前記第２の冷却水測定工程によって測定された放水口側の冷却水温度と、前記温度差算出工程によって算出された取水口側と放水口側とにおける冷却水の温度差と、前記復水器真空測定工程によって測定された復水器の真空度に基づき、前記負荷状態が所定状態であるか否かが判定されて、所定状態ではないと判定された場合は、前記第１の循環ポンプと前記第２の循環ポンプの２台運転が継続され、所定状態であると判定された場合は、前記取水口側の冷却水温度が所定温度以下であるか否かが判定されて、所定温度以下ではないと判定された場合は、前記第１の循環ポンプと前記第２の循環ポンプの２台運転が継続され、所定温度以下であると判定された場合は、前記冷却水の温度差が所定温度差以下であるか否かが判定されて、所定温度差以下ではないと判定された場合は、前記第１の循環ポンプと前記第２の循環ポンプの２台運転が継続され、所定温度差以下であると判定された場合は、前記復水器の真空度が所定値であるか否かが判定されて、所定値ではないと判定された場合は、前記第１の循環ポンプと前記第２の循環ポンプの２台運転が継続され、所定値であると判定された場合は、前記第１の循環ポンプと前記第２の循環ポンプのいずれか一方の運転を停止させる循環ポンプ運転判定工程と、を備えた火力発電所における循環ポンプ運転方法である。
【０００８】
この発明によれば、発電機から電力が供給される負荷が高負荷状態から低負荷状態になると、冷却水温度と冷却水温度差と復水器真空度とに基づき、運転中の２台の循環ポンプのうち１台の循環ポンプの運転のみで、復水器への冷却水の供給が可能か否か判定される。そして、１台の循環ポンプの運転のみによる冷却水の供給で蒸気タービンからの水蒸気の復水が十分可能である場合は、２台の循環ポンプのうち１台の循環ポンプの運転が停止され、残りの１台の循環ポンプにより復水器への冷却水の供給が行われる。具体的には、負荷状態が所定状態であるか否かが判定されて、所定状態ではないと判定された場合は、第１の循環ポンプと第２の循環ポンプの２台運転が継続され、所定状態であると判定された場合は、取水口側の冷却水温度が所定温度以下であるか否かが判定される。そして、所定温度以下ではないと判定された場合は、第１の循環ポンプと第２の循環ポンプの２台運転が継続され、所定温度以下であると判定された場合は、冷却水の温度差が所定温度差以下であるか否かが判定される。そして、所定温度差以下ではないと判定された場合は、第１の循環ポンプと第２の循環ポンプの２台運転が継続され、所定温度差以下であると判定された場合は、復水器の真空度が所定値であるか否かが判定される。そして、所定値ではないと判定された場合は、第１の循環ポンプと第２の循環ポンプの２台運転が継続され、所定値であると判定された場合は、第１の循環ポンプと第２の循環ポンプのいずれか一方の運転を停止させる。
【０００９】
請求項２に記載の発明は、蒸気タービンからの水蒸気を復水する復水器に冷却水を供給する第１の循環ポンプと第２の循環ポンプを備えた火力発電所における循環ポンプ運転システムであって、前記蒸気タービンと連結される発電機から負荷に供給される電力の変化から負荷状態を測定する負荷状態測定手段と、前記復水器に供給する冷却水を取水する取水口側の冷却水温度を測定する第１の冷却水温度測定手段と、前記復水器を通過した冷却水を放水する放水口側の冷却水温度を測定する第２の冷却水温度測定手段と、前記第１の冷却水温度測定手段によって測定された取水口側の冷却水温度と前記第２の冷却水温度測定手段によって測定された放水側の冷却水温度とにおける温度差を算出する温度差算出手段と、前記復水器の真空度を測定する復水器真空度測定手段と、前記負荷状態測定手段によって測定された電力の変化による負荷状態と、前記第１の冷却水測定手段によって測定された取水口側の冷却水温度と、前記第２の冷却水測定手段によって測定された放水口側の冷却水温度と、前記温度差算出手段によって算出された取水口側と放水口側とにおける冷却水の温度差と、前記復水器真空測定手段によって測定された復水器の真空度に基づき、前記負荷状態が所定状態であるか否かが判定されて、所定状態ではないと判定された場合は、前記第１の循環ポンプと前記第２の循環ポンプの２台運転が継続され、所定状態であると判定された場合は、前記取水口側の冷却水温度が所定温度以下であるか否かが判定されて、所定温度以下ではないと判定された場合は、前記第１の循環ポンプと前記第２の循環ポンプの２台運転が継続され、所定温度以下であると判定された場合は、前記冷却水の温度差が所定温度差以下であるか否かが判定されて、所定温度差以下ではないと判定された場合は、前記第１の循環ポンプと前記第２の循環ポンプの２台運転が継続され、所定温度差以下であると判定された場合は、前記復水器の真空度が所定値であるか否かが判定されて、所定値ではないと判定された場合は、前記第１の循環ポンプと前記第２の循環ポンプの２台運転が継続され、所定値であると判定された場合は、前記第１の循環ポンプと前記第２の循環ポンプのいずれか一方の運転を停止させる循環ポンプ運転判定手段と、を備えた火力発電所における循環ポンプ運転システムである。
【発明の効果】
【００１０】
請求項１および２に記載の発明によれば、発電機から供給される電力の変化による負荷状態と、取水口側の冷却水温度と、取水口側と放水口側における冷却水の温度差と、復水器の真空度とから、第１の循環ポンプと第２の循環ポンプのいずれか一方の運転を停止させるか否かを判定するようにしているので、複数の条件下がそろった状態では循環ポンプの２台運転を１台運転に切り替えることができる。これにより、循環ポンプを運転するための化石燃料の使用量を削減することができ、省エネルギーの実現により運転費の削減ができるとともに、ＣＯ２の排出量を低減することができる。
【図面の簡単な説明】
【００１１】
【図１】本発明の実施の形態に係わる火力発電所における循環ポンプ運転システムのブロック図である。
【図２】図１の循環ポンプ運転システムが適用される火力発電所の発電系統図である。
【図３】本発明の実施の形態に係わる火力発電所における循環ポンプ運転方法の手順を示すフローチャートである。
【発明を実施するための形態】
【００１２】
つぎに、この発明の実施の形態について、図面を用いて詳しく説明する。
【００１３】
図１ないし図３は、本発明の実施の形態を示しており、とくに重油・原油を燃料とする火力発電所に適用した場合を示している。図２は、火力発電所における例えば１〜３号機のうち３号機の発電系統を示している。３号機は、最大出力が５００ＭＷ（５０万ＫＷ）となっており、出力ゾーンを高負荷状態（２５０〜５００ＭＷ）である３号ＡＦＣ１ゾーンと、低負荷状態（１５０〜２５０ＭＷ）である３号ＡＦＣ２ゾーンに分けて制御している。
【００１４】
火力発電所では、図２に示すように例えば重油・原油を燃料とするボイラ１の運転によって水蒸気Ｆ１が生成される。ボイラ１によって生成された水蒸気Ｆ１は、蒸気タービン２に供給され、蒸気タービン２はボイラ１からの水蒸気Ｆ１によって回転駆動される。蒸気タービン２には、発電機３が連結されているので、蒸気タービン２の回転駆動力は発電機３に伝達され、これにより発電機３は負荷３１に向けて電力Ｅを供給することが可能となっている。
【００１５】
蒸気タービン２を通過した水蒸気Ｆ１は、復水器４に流入するようになっている。復水器４は、流入した水蒸気Ｆ１を冷却水としての海水Ｗとの熱交換により凝縮し復水する機能を有している。復水器４には、冷却水通路８が接続されている。冷却水通路８における復水器４の上流側には、第１の循環ポンプ１１と第２の循環ポンプ１２が接続されている。第１の循環ポンプ１１と第２の循環ポンプ１２は、並列に配置されている。第１の循環ポンプ１１および第２の循環ポンプ１２は、所内電源３０からの電力供給によって運転可能となっている。この実施の形態においては、第１の循環ポンプ１１および第２の循環ポンプ１２は、後述するように、発電機３から電力Ｅが供給される負荷３１の状態（高負荷状態・低負荷状態）など複数の条件を考慮し、２台同時運転または第１の循環ポンプ１１と第２の循環ポンプ１２のうちいずれか１台のみの運転が可能となっている。
【００１６】
図２に示すように、冷却水通路８における第１の循環ポンプ１１と第２の循環ポンプ１２の上流側には、取水口６が位置している。取水口６は、海水Ｗを取水する場所であり、海岸沿いに設けられている。取水口６から取水された海水Ｗは、通常時には第１の循環ポンプ１１および第２の循環ポンプ１２を介して復水器４に供給されるようになっている。冷却水通路８における復水器４の下流側には、放水口７が位置している。放水口７は、復水器４において水蒸気Ｆ１との熱交換によって温度が上昇した海水Ｗを放水する場所であり、海岸沿いに設けられている。
【００１７】
図１および図２に示すように、循環ポンプ運転システム２０は、負荷状態測定手段２１と、第１の冷却水温度測定手段２２と、第２の冷却水温度測定手段２３と、温度差算出手段２４と、復水器真空度測定手段２５と、循環ポンプ運転判定手段２６と、を備えている。図２に示すように、発電機３側には、発電機３から負荷３１に供給される電力Ｅの変化に基づき、負荷３１が高負荷状態（２５０〜５００ＭＷ）となる３号ＡＦＣ１ゾーンにあるか、または低負荷状態（１５０〜２５０ＭＷ）となる３号ＡＦＣ２ゾーンにあるかを測定する負荷状態測定手段２１が設けられている。負荷状態測定手段２１は、発電機３の出力電圧および出力電流に基づき負荷３１側に供給される電力を常時計測する電力計（図示略）を有している。負荷状態測定手段２１からの信号は、循環ポンプ運転判定手段２６に入力されている。
【００１８】
復水器４に供給する海水Ｗを取水する取水口６側には、図２に示すように、取水する海水Ｗの温度を測定する第１の冷却水温度測定手段２２が設けられている。第１の冷却水温度測定手段２２は、海水Ｗの温度を電気信号に変換する温度センサから構成されている。第１の冷却水温度測定手段２２からは、取水口６の海水Ｗの温度が電気信号として循環ポンプ運転判定手段２６に入力されている。復水器４を通過した海水Ｗを放水する放水口７側には、放水する海水Ｗの温度を測定する第２の冷却水温度測定手段２３が設けられている。第２の冷却水温度測定手段２３は、海水Ｗの温度を電気信号に変換する温度センサから構成されている。第２の冷却水温度測定手段２３からは、放水口７の海水Ｗの温度が電気信号として循環ポンプ運転判定手段２６に入力されている。
【００１９】
温度差算出手段２５には、第１の冷却水温度測定手段２２によって測定された取水口６側の海水Ｗの温度に関する電気信号と、第２の冷却水温度測定手段２３によって測定された放水口７側の介海水Ｗの温度に関する電気信号が、それぞれ入力されている。温度差算出手段２４は、第１の冷却水温度測定手段２２によって測定された取水口６側の海水Ｗの温度と、第２の冷却水温度測定手段２３によって測定された放水口７側の海水Ｗの温度と、を比較しその温度差を算出する機能を有している。
【００２０】
復水器４側には、復水器４の真空度を測定する復水器真空度測定手段２４が設けられている。復水器真空度測定手段２４は、復水器４内の真空度を電気信号に変換する圧力センサから構成されている。復水器真空度測定手段２４からは、復水器４内の真空度が電気信号として循環ポンプ運転判定手段２６に入力されている。ここで、復水器４内の真空度を測定するのは、蒸気タービン２を流れている水蒸気Ｆ１と復水器４の圧力差が大きいほど、水蒸気Ｆ１は蒸気タービン２を効率よく回転させることができるが、復水器４の冷却能力が低下し復水器４の真空度が低下すると蒸気タービン２の効率が悪くなることから、循環ポンプの１台のみの運転条件として復水器４の真空度を測定するようにしている。
【００２１】
循環ポンプ運転判定手段２６は、負荷状態測定手段２１によって測定された負荷状態と、第１の冷却水測定手段２２によって測定された取水口６側の海水Ｗの温度と、温度差算出手段２４によって算出された取水口６側と放水口７側とにおける海水Ｗの温度差と、復水器真空測定手段２５によって測定された復水器４の真空度とから、第１の循環ポンプ１１と第２の循環ポンプ１２のいずれか一方の運転を停止させるか否かを判定する機能を有している。
【００２２】
循環ポンプ運転判定手段２６の出力側には、ポンプ制御器２７が接続されている。ポンプ制御器２７は、所内電源３０からの電力を第１の循環ポンプ１１と第２の循環ポンプ１２に供給する開閉機能を有する制御器から構成されており、循環ポンプ運転判定手段２６からの信号により各循環ポンプ１１、１２の運転制御を行う機能を有している。ポンプ制御器２７は、循環ポンプ運転判定手段２６からの出力信号に基づき、第１の循環ポンプ１１と第２の循環ポンプ１２の２台同時運転、または第１の循環ポンプ１１と第２の循環ポンプ１２のいずれか一方による１台運転を行う。
【００２３】
つぎに、本発明の循環ポンプ運転システムを用いた循環ポンプ運転方法の操作手順および作用について説明する。
【００２４】
図３は、循環ポンプ運転システム２０による循環ポンプ運転方法の操作手順を示している。ステップ４１においては、発電機３から電力Ｅが供給される負荷３１の状態が高負荷状態（２５０〜５００ＭＷ）である３号ＡＦＣ１ゾーンか、または低負荷状態（１５０〜２５０ＭＷ）である３号ＡＦＣ２ゾーンであるか否か判定される。ここで、負荷３１が３号ＡＦＣ２ゾーンに入っていないと判定された場合は、ステップ４６に進み、第１の循環ポンプ１１と第２の循環ポンプ１２による２台運転が継続される。ステップ４１において、負荷３１が３号ＡＦＣ２ゾーンに入ったと判定された場合は、ステップ４２に進み、取水口６側の海水Ｗの温度が１６℃以下であるか否か判定される。ここで、取水口６側の海水Ｗの温度が１６℃以下でない場合は、ステップ４６に進み、第１の循環ポンプ１１と第２の循環ポンプ１２による２台運転が継続される。
【００２５】
ステップ４２において、取水口６側の海水Ｗの温度が１６℃以下であると判定された場合は、ステップ４３に進み、取水口６側と放水口７側における海水Ｗの温度が比較され、海水Ｗの温度差が３．５℃以下であるか否か判定される。ここで、海水Ｗの温度差が３．５℃以下でない場合は、ステップ４６に進み、第１の循環ポンプ１１と第２の循環ポンプ１２による２台運転が継続される。ステップ４３において、取水口６側と放水口７側における海水Ｗの温度差が３．５℃以下である場合は、ステップ４４に進み、復水器４の真空度が所定値であるか否か判定される。この実施の形態においては、真空度は復水器４の真空調整弁（図示略）の制御値で判定しており、その真空度は−９７．８ＫＰａに設定されている。ステップ４４において、復水器４の真空度が所定値以下であると判定された場合は、ステップ４６に進み、第１の循環ポンプ１１と第２の循環ポンプ１２による２台運転が継続される。ステップ４４において、復水器４の真空度が所定値であると判定された場合は、ステップ４５に進み、第１の循環ポンプ１１と第２の循環ポンプ１２のうちいずれか１台の運転が停止され、残り１台の循環ポンプによる１台運転が開始される。
【００２６】
以上のように、この循環ポンプ運転システム２０においては、発電機３から電力Ｅが供給される負荷３１が高負荷状態（２５０〜５００ＭＷ）である３号ＡＦＣ１ゾーンから低負荷状態（１５０〜２５０ＭＷ）である３号ＡＦＣ２ゾーンに入ったところで、取水口６側の海水Ｗの温度と、取水口６側と放水口７側とにおける海水Ｗの温度差と、復水器４の真空度とに基づき、運転中の２台の循環ポンプ１１、１２のうち１台の循環ポンプの運転のみで、冷却水としての海水Ｗの復水器４への供給が可能か否か判定される。そして、第１の循環ポンプ１１と第２の循環ポンプ１２のうちいずれか１台の循環ポンプの運転のみによる海水Ｗの供給で蒸気タービン２からの水蒸気Ｆ１の復水が十分可能である場合は、２台の循環ポンプのうち１台の循環ポンプの運転が停止され、残りの１台の循環ポンプによって復水器４への海水Ｗの供給が行われる。
【００２７】
このように、発電機３からの負荷３１に供給される電力Ｅの変化による負荷状態と、取水口６側の海水Ｗの温度と、取水口６側と放水口７側における海水Ｗの温度差と、復水器４の真空度とから、第１の循環ポンプ１１と第２の循環ポンプ１２のいずれか一方の運転を停止させるか否かを判定するようにしているので、これら複数の条件下がすべてそろった状態では、第１の循環ポンプ１１と第２の循環ポンプ１２による２台運転をいずれか一方の循環ポンプによる１台運転に切り替えることができる。これにより、循環ポンプを運転するための化石燃料の使用量を削減することができ、省エネルギーの実現により運転費の削減ができるとともに、ＣＯ２の排出量を低減することができる。
【００２８】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、循環ポンプ運転判定手段２６の判定によって、第１の循環ポンプ１１と第２の循環ポンプ１２のうちいずれか１台の運転を停止させるようにしているが、例えば停止させる循環ポンプを予め特定した構成としてもよいし、停止させる循環ポンプを定期的に交代させる構成としてもよい。
【００２９】
また、この実施の形態においては、重油・原油を燃料とした火力発電所に適用したが、石炭などを燃料とした他の発電所にも適用可能である。さらに、この実施の形態においては、循環ポンプ運転システム２０を用いることにより、第１の循環ポンプ１１と第２の循環ポンプ１２のうちいずれか１台の運転を自動で停止させるようにしているが、図３のフローチャートに準じた手順により、循環ポンプの２台運転から１台運転への切替えは、手動操作でも可能である。
【符号の説明】
【００３０】
１                ボイラ
２                蒸気タービン
３                発電機
４                復水器
６                取水口
７                放水口
１１              第１の循環ポンプ
１２              第２の循環ポンプ
２０              循環ポンプ運転システム
２１              負荷状態測定手段
２２              第１の冷却水温度測定手段
２３              第２の冷却水温度測定手段
２４              温度差算出手段
２５              復水器真空度測定手段
２６              循環ポンプ運転判定手段
３１              負荷
Ｗ                海水（冷却水）
【図１】
0005539472.tif 000002
【図２】
0005539472.tif 000003
【図３】
0005539472.tif 000004